(57)【要約】【課題】本発明は、果実袋に関する。【解決手段】本発明の一実施例に係る果実袋は、内部に果実が収納される収納空間が形成され、上端の中央部には投入口が形成された袋の胴体と、投入口の前後面に互いに対向するように投入口にそれぞれ接合され、両末端に作用する外力によって投入口を開閉する第１の圧搾部材と第２の圧搾部材、及び第１の圧搾部材と隣接した位置に備えられ、第２の圧搾部材に触れ合うように曲がる際に、第１の圧搾部材と第２の圧搾部材とを密着固定させる少なくとも一つの固定片を含むことを特徴とする。本発明の一実施例に係る果実袋によると、袋の胴体の投入口に一対の圧搾部材を接合し、固定片を用いて投入口を開閉することによって、より容易かつ正確な果実の包装が可能になり、作業時間を短縮することができる。【選択図】図２
2015047166.tif 000002
【特許請求の範囲】
【請求項１】
内部に果実が収納される収納空間が形成され、上端の中央部には投入口が形成された袋の胴体と、
前記投入口の前後面に互いに対向するように前記投入口にそれぞれ接合され、両末端に作用する外力によって前記投入口を開閉する第１の圧搾部材と第２の圧搾部材、及び、
前記第１の圧搾部材と隣接した位置に備えられ、前記第２の圧搾部材に触れ合うように曲がる際に、前記第１の圧搾部材と前記第２の圧搾部材とを密着固定させる少なくとも一つの固定片を含むことを特徴とする果実袋。
【請求項２】
前記第１の圧搾部材及び前記第２の圧搾部材の中の少なくとも一つは、前記投入口の前後面に触れ合う中央部に形成され、前記収納空間に前記果実が収納された際に、果実の幹を固定する固定溝を備えることを特徴とする、請求項１に記載の果実袋。
【請求項３】
前記第１の圧搾部材及び前記第２の圧搾部材の中の少なくとも一つは、長さの方向に沿って少なくとも一つの凹凸が形成されたことを特徴とする、請求項１に記載の果実袋。
【請求項４】
前記第１の圧搾部材及び前記第２の圧搾部材の中の少なくとも一つは、両末端の角部分がラウンド処理されることを特徴とする、請求項１に記載の果実袋。
【請求項５】
前記少なくとも一つの固定片は、
２重のフィルムが接合されたフィルム部材、及び、
前記フィルム部材の間に挿入された少なくとも一つのワイヤ部材を含むことを特徴とする、請求項１に記載の果実袋。
【請求項６】
前記袋の胴体は、前記投入口を中心に両側が折れた状態で保管されることを特徴とする、請求項１に記載の果実袋。
【発明の詳細な説明】
【技術分野】
【０００１】
本発明は、果実袋に関し、より詳細には、より容易かつ正確な果実の包装が可能になり、作業時間を短縮することができる果実袋に関する。
【背景技術】
【０００２】
一般的に、果実袋は、果樹園などで栽培される果実を、鳥類や病虫害、または日光から保護するために果実を包むものであり、このような果実袋は、ビニールまたは紙により形成される。
【０００３】
図１は、従来の果実袋を用いて果実を包装する姿を示す図である。
【０００４】
図１に示すように、従来の果実袋１０は、前面紙１１と後面紙１２とが重なった状態で、両側面と下側は接合し、上部には果実袋１０の外部に向けて開口された投入口１３が形成される。このような投入口１３は、果実２０のサイズより大きく形成され、果実２０が果実袋１０の内部に入って来るように案内する役割をする。
【０００５】
また、投入口１３と隣接した果実袋１０の一面には、果実２０が投入される方向と垂直の方向に延長される固定片１４が備えられる。このような固定片１４は、果実袋１０が果実２０を包んでいる状態を維持できるように、果実２０に吊り下がっている果実の幹２１を包んだ状態で、両端が互いに組まれて結束される。
【０００６】
このような構成を有する従来の果実袋１０は、作業者が果実２０を包む前に、投入口１３を開けて果実２０が入って行く空間を確保するためには、果実袋１０がビニールまたは紙のような薄い材質からなり、作業者は投入口１３を両手で握って開けるか、投入口１３を手で揉まなければならない。この場合、作業者が果実２０を包むまで時間が長くかかると共に、梯子の上のような高い位置で作業する場合、両手を自由に使い難いという問題がある。また、果実袋１０で果実２０を包むためには、果実の幹２１を一方の手で握った状態で、固定片１４を果実の幹２１と共に結束しなければならないが、この場合にも果実の幹２１を逃してしまったり、固定片１４の正確な結束ができないため、果実２０が果実袋１０から外れてしまうという問題がある。
【０００７】
よって、より容易かつ正確な果実の包装を可能にして、作業時間の短縮ができる果実袋が要求されている。
【発明の概要】
【発明が解決しようとする課題】
【０００８】
本発明は、前述の問題点を改善するために発明されたものであって、本発明が解決しようとする課題は、袋の胴体の投入口に一対の圧搾部材を接合し、固定片を用いて投入口を開閉することによって、より容易かつ正確な果実の包装が可能になり、作業時間を短縮することができる果実袋を提供することである。
【０００９】
本発明の技術的課題は、以上で言及したものに制限されず、言及されていない更に他の技術的課題は、以下の記載から当業者にとって明確に理解されるべきである。
【課題を解決するための手段】
【００１０】
上記の課題を達成するために、本発明の一実施例に係る果実袋は、内部に果実が収納される収納空間が形成され、上端の中央部には投入口が形成された袋の胴体と、前記投入口の前後面に互いに対向するように前記投入口にそれぞれ接合され、両末端に作用する外力によって前記投入口を開閉する第１の圧搾部材と第２の圧搾部材、及び前記第１の圧搾部材と隣接した位置に備えられ、前記第２の圧搾部材に触れ合うように曲がる際に、前記第１の圧搾部材と前記第２の圧搾部材とを密着固定させる少なくとも一つの固定片を含むことを特徴とする。
【００１１】
この際、前記第１の圧搾部材及び前記第２の圧搾部材の中の少なくとも一つは、前記投入口の前後面に触れ合う中央部に形成され、前記収納空間に前記果実が収納された際に、果実の幹を固定する固定溝を備えることを特徴とする。
【００１２】
また、前記第１の圧搾部材及び前記第２の圧搾部材の中の少なくとも一つは、長さの方向に沿って少なくとも一つの凹凸が形成されたことを特徴とする。
【００１３】
また、前記第１の圧搾部材及び前記第２の圧搾部材の中の少なくとも一つは、両末端の角部分がラウンド処理されることを特徴とする。
【００１４】
また、前記少なくとも一つの固定片は、２重のフィルムが接合されたフィルム部材、及び前記フィルム部材の間に挿入された少なくとも一つのワイヤ部材を含むことを特徴とする。
【００１５】
また、前記袋の胴体は、前記投入口を中心に両側が折れた状態で保管されることを特徴とする。
【００１６】
その他の実施例の具体的な事項は、詳細な説明及び図面に含まれている。
【発明の効果】
【００１７】
本発明の一実施例に係る果実袋によると、袋の胴体の投入口に一対の圧搾部材を接合し、固定片を用いて投入口を開閉することによって、より容易かつ正確な果実の包装が可能になり、作業時間を短縮することができる。
【００１８】
本発明の効果は、以上で言及した効果に制限されず、言及されていない更に他の効果は、請求範囲の記載から当業者にとって明確に理解されるべきである。
【図面の簡単な説明】
【００１９】
【図１】従来の果実袋を用いて果実を包装する姿を示す図である。
【図２】本発明の一実施例に係る果実袋が折れている状態を示す図である。
【図３】本発明の一実施例に係る果実袋が開かれている状態を示す図である。
【図４】本発明の一実施例に係る果実袋の構造を示す分解斜視図である。
【図５】本発明の一実施例に係る果実袋において、第１の圧搾部材及び第２の圧搾部材の構造を示す斜視図である。
【図６】本発明の一実施例に係る果実袋において、固定片の構造を示す斜視図である。
【図７】本発明の一実施例に係る果実袋の第１の圧搾部材及び第２の圧搾部材を開けた状態で果実を収納する姿を示す斜視図である。
【図８】本発明の一実施例に係る果実袋の第１の圧搾部材及び第２の圧搾部材を密着させた状態で固定片を曲げる姿を示す斜視図である。
【図９】本発明の一実施例に係る果実袋の第１の圧搾部材及び第２の圧搾部材が固定片によって完全に密着されている姿を示す斜視図である。
【発明を実施するための形態】
【００２０】
以下、本発明が属する技術分野において、通常の知識を持った者が本発明を容易に実施できるように、本発明の望ましい実施例について添付の図面を参照しながら詳細に説明すると、次のようである。
【００２１】
実施例を説明することにおいて、本発明が属する技術分野において広く知られており、本発明との直接的な関連のない記述内容については、説明を省略する。これは不要な説明を省略することで、本発明の要旨を不明にせず、より明確に伝達するためである。
【００２２】
同様の理由により、添付の図面において、一部の構成要素は誇張や省略されているか、または概略的に示されている。さらに、各構成要素の大きさは、実際の大きさを全面的に反映するのではない。各図面において、同一であるか、または対応する構成要素には同じ参照番号を付与している。
【００２３】
以下、本発明の実施例によって、果実袋を説明するための図面を参照しながら本発明について説明する。
【００２４】
図２は、本発明の一実施例に係る果実袋が折れている状態を示す図であり、図３は、本発明の一実施例に係る果実袋が開かれている状態を示す図であり、図４は、本発明の一実施例に係る果実袋の構造を示す分解斜視図である。
【００２５】
図２〜図４に示すように、本発明の一実施例に係る果実袋１は、袋の胴体１００、第１の圧搾部材２００、第２の圧搾部材３００、及び少なくとも一つの固定片４００を含んで構成することができる。
【００２６】
袋の胴体１００は、内部に果実２０が収納される収納空間１１０が形成され、上端の中央部には投入口１２０を形成することができる。図４に示すように、袋の胴体１００は、前面紙１１１と後面紙１１２とが互いに対向するように配置され、前面紙１１１と後面紙１１２の両側端及び下端が接合された状態で、内部に果実２０が収納される収納空間１１０が形成され、前面紙１１１と後面紙１１２の上端の中央部に、上部が一部開放される投入口１２０を形成することができる。詳細には示されていないが、収納空間１１０は、前面紙１１１と後面紙１１２との間に果実２０が収納される際に、または果実２０が成長する際に、果実２０の嵩によって脹れ上がる空間を意味する。このような袋の胴体１００は、紙袋、ビニール袋は勿論、投入口が形成されており、内部に果実２０を収納するための空間が形成されているものであれば、どんな形態を使っても関係ない。
【００２７】
一方、図２に示すように、最初の状態での袋の胴体１００は、投入口１２０を中心に、両側１１３、１１４が折れている状態で保管することができる。すなわち、袋の胴体１００は、保管中であるか、最初の果実２０を包装する際には、図２に示すように、投入口１２０の両側１１３、１１４が折れている状態であるか、果実２０が成長するによって、図３に示すように、投入口１２０の両側１１３、１１４が次第に開くことができる。このように、袋の胴体１００を投入口１２０の両側１１３、１１４が折れている状態で保管することによって、果実袋１の最初のサイズを減らし、作業者が容易に作業することができるようになる。
【００２８】
第１の圧搾部材２００と第２の圧搾部材３００は、投入口１２０の前後面に互いに対向するように投入口１２０にそれぞれ接合され、両末端に作用する外力によって投入口１２０を開閉することができる。図４に示すように、第１の圧搾部材２００は前面紙１１１の上端に接合され、第２の圧搾部材３００は第１の圧搾部材２００に対応する位置で、後面紙１１２の上端に接合することができる。また、第１の圧搾部材２００と第２の圧搾部材３００は、それぞれ薄いバンド状２１０、３１０を有し、弾力性の優れた材質からなり、作業者の両手の指等によって両末端に外力が加えられると、曲げられて投入口１２０を開けるようになり、外力が除去されると、また元の状態に戻されて投入口１２０を阻む役割をすることができる。このような第１の圧搾部材２００と第２の圧搾部材３００は、ＰＥＴ（Ｐｏｌｙｅｔｈｙｌｅｎｅ  Ｔｅｒｅｐｈｔｈａｌａｔｅ）材質からなることができるが、これに限定されず、外力によって曲げられ、外力が除去されると、元の状態に戻すことができる弾力性の優れた材質は何でも適用可能である。図４に示すように、第１の圧搾部材２００と第２の圧搾部材３００は、実質的に同一な構造を有することができ、第１の圧搾部材２００と第２の圧搾部材３００の構造については、図５を参照しながら詳細に後述する。
【００２９】
固定片４００は、第１の圧搾部材２００と隣接した位置に備えられ、第２の圧搾部材３００に触れ合うように曲げられる際に、第１の圧搾部材２００と第２の圧搾部材３００とを密着固定することができる。図４に示すように、固定片４００は投入口１２０と第１の圧搾部材２００との間、すなわち、前面紙１１１と、前面紙１１１に接合される第１の圧搾部材２００の間に結合され、投入口１２０を基準にして下の方向に、第１の圧搾部材２００から長く延長されるように形成することができる。このような固定片４００の構造については、図６を参照しながら詳細に後述する。一方、図２〜図４では、一つの固定片４００が第１の圧搾部材２００と投入口１２０との間に結合された例を示しているが、これに限定されず、固定片４００の個数、結合位置などは当業者によっていくらでも変更可能である。
【００３０】
以下、図５及び図６を参照しながら、本発明の一実施例に係る果実袋１の第１の圧搾部材２００、第２の圧搾部材３００、及び固定片４００の構造について詳細に説明する。
【００３１】
図５は、本発明の一実施例に係る果実袋において、第１の圧搾部材及び第２の圧搾部材の構造を示す斜視図である。
【００３２】
図５に示すように、第１の圧搾部材２００と第２の圧搾部材３００は、それぞれ薄いバンド状２１０、３１０を有し、両末端に加えられる外力の有無に応じて開かれたり圧搾されることができる。また、第１の圧搾部材２００及び第２の圧搾部材３００は、投入口１２０の前後面に触れ合う中央部に固定溝２２０、３３０を形成することができる。このような固定溝２２０、３３０は、袋の胴体１００内の収納空間１１０に果実２０が収納された際に、果実の幹２１を固定する役割を行い、略「Ｖ」字状に切り曲げられた窪んだ溝の形態を有することができる。図５では、第１の圧搾部材２００と第２の圧搾部材３００の両方共に「Ｖ」字状の固定溝２２０、３３０が形成されている例を示しているが、これに限定されず、第１の圧搾部材２００または第２の圧搾部材３００の中の何れか一つのみに固定溝を形成することができ、また「Ｖ」字状ではなく、他の形態の固定溝を形成することもできる。
【００３３】
また、第１の圧搾部材２００及び第２の圧搾部材３００は、薄いバンド状２１０、３１０の長さの方向に沿って凹凸２３０、３３０を形成することができる。このように、第１の圧搾部材２００及び第２の圧搾部材３００は、表面に凹凸２３０、３３０を形成することによって、第１の圧搾部材２００及び第２の圧搾部材３００の両末端から外力が除去される瞬間、元の状態に戻される弾性力を提供し、より堅固に果実の幹２１を固定することができる。図５では、第１の圧搾部材２００と第２の圧搾部材３００との両方共にドーム（Ｄｏｍｅ）形態の凹凸２３０、３３０が形成されている例を示しているが、これに限定されず、凹凸２３０、３３０の形状、形成位置などは当業者によっていくらでも変更可能である。
【００３４】
一方、第１の圧搾部材２００と第２の圧搾部材３００の両末端の角部分２４０、３４０は、丸い形態にラウンド（Ｒｏｕｎｄ）処理することができる。これによって、作業者が両手の指で第１の圧搾部材２００と第２の圧搾部材３００の両末端を押す際に、両手の指に負担をかけないため、容易に第１の圧搾部材２００と第２の圧搾部材３００を曲げることができる。また、これによって、成長した果実２０から果実袋１を外す際に、成長した果実２０の表面に損傷を与えることを防止することができる。
【００３５】
図６は、本発明の一実施例に係る果実袋において、固定片の構造を示す斜視図である。
【００３６】
図６に示すように、固定片４００は、２重のフィルムが接合されたフィルム部材４１０と、フィルム部材４１０の間に挿入された少なくとも一つのワイヤ部材４２０と、を含むことができる。このように、固定片４００は、フィルム部材４１０の間にワイヤ部材４２０を含むことによって、第１の圧搾部材２００と第２の圧搾部材３００を堅固に固定することで、袋の胴体１００の投入口１２０を確かに密閉することができる。図６では、フィルム部材４１０の間に２個のワイヤ部材４２０が挿入されている例を示しているが、これに限定されず、当業者によっていくらでも変更可能である。また、図６では、フィルム部材４１０と、これに挿入されるワイヤ部材４２０の例を示しているが、フィルム部材４１０とワイヤ部材４２０の以外にも、第１の圧搾部材２００と第２の圧搾部材３００を固定できるものであれば、どんな形態を使っても関係ない。
【００３７】
一方、図２に示すように、固定片４００は、第１の圧搾部材２００と投入口１２０との間に結合されるが、固定片４００の一端４１０ａは第１の圧搾部材２００の上端とほぼ一致するように位置し、固定片４００の末端４１０ｂは第１の圧搾部材２００から下の方向に露出して長く延長することができる。後述するが、袋の胴体１００内の収納空間１１０に果実２０を収納した後には、固定片４００が第２の圧搾部材３００に触れ合うように固定片４００の末端４１０ｂを曲げることができる。
【００３８】
以下、図７〜図９を参照しながら、上記のように構成される本発明の一実施例に係る果実袋１を用いて果実２０を包装する過程を説明すると、次のようである。
【００３９】
図７は、本発明の一実施例に係る果実袋の第１の圧搾部材及び第２の圧搾部材を開けた状態で果実を収納する姿を示す斜視図であり、図８は、本発明の一実施例に係る果実袋の第１の圧搾部材及び第２の圧搾部材を密着させた状態で固定片を曲げる姿を示す斜視図であり、図９は、本発明の一実施例に係る果実袋の第１の圧搾部材及び第２の圧搾部材が固定片によって完全に密着されている姿を示す斜視図である。
【００４０】
図７に示すように、果実袋１を用いて果実２０を包装するためには、先ず、一方の手の両指（例えば、左手の親指と人差し指）を用いて、第１の圧搾部材２００と第２の圧搾部材３００の両末端を押して、第１の圧搾部材２００と第２の圧搾部材３００を開けることによって、袋の胴体１００の投入口１２０を開けることができる。さらに、果実２０を袋の胴体１００内の収納空間１１０に入れた後、第１の圧搾部材２００と第２の圧搾部材３００の両末端を押す力を除去すると、果実２０の果実の幹２１は第１の圧搾部材２００と第２の圧搾部材３００の固定溝２２０、３２０に密着固定することができる。第１の圧搾部材２００と第２の圧搾部材３００の固定溝２２０、３２０に果実の幹２１が固定された状態で、図８に示すように、固定片４００を第１の圧搾部材２００の下端から上部方向に折って曲げることができる。最後に、図９に示すように、固定片４００をまた第２の圧搾部材３００に触れ合うように下部方向に曲げて、第１の圧搾部材２００と第２の圧搾部材３００を密着固定することができる。
【００４１】
上述したように、本発明の一実施例に係る果実袋１によると、袋の胴体１００の投入口１２０に一対の圧搾部材２００、３００を接合し、固定片４００を用いて投入口１２０を開閉することによって、より容易かつ正確な果実２０の包装が可能になり、作業時間を短縮することができる。
【００４２】
一方、本発明の明細書と図面は、本発明の望ましい実施例について開示しており、特定の用語が使われているが、これは単に本発明の記述内容を容易に説明すると共に、発明の理解を助けるための一般的な意味で使われたものに過ぎず、本発明の範囲を限定しようとするものではない。ここで開示された実施例の外にも、本発明の技術的思想に基づいた他の変更例が実施可能であるということは、本発明が属する技術分野において通常の知識を持った者にとって自明である。
【符号の説明】
【００４３】
１  果実袋  
１００  袋の胴体
２００  第１の圧搾部材
３００  第２の圧搾部材
４００  固定片
【図１】
2015047166.tif 000003
【図２】
2015047166.tif 000004
【図３】
2015047166.tif 000005
【図４】
2015047166.tif 000006
【図５】
2015047166.tif 000007
【図６】
2015047166.tif 000008
【図７】
2015047166.tif 000009
【図８】
2015047166.tif 000010
【図９】
2015047166.tif 000011